(57)【要約】      （修正有）【課題】希望の実験に最適なプローブ、また実際に使用しているプローブが最適なプローブであるか否かをユーザに知らせることのできるＮＭＲ装置。【解決手段】ＮＭＲ分光計およびＮＭＲプローブに通信手段を介して接続されたコンピュータが全体を統括制御しているＮＭＲ装置において、ユーザが所有、またはプローブメーカが提供しているＮＭＲプローブを検索可能な情報として記憶させたデータベース部と、（１）オペレータが希望する測定方法を項目別に入力する入力部、（２）現在接続されているＮＭＲプローブの種類を表示する第１表示部、（３）希望する測定方法にとって好適なＮＭＲプローブを表示する第２表示部を備えたＧＵＩとを備え、オペレータが希望する測定方法を入力したら、好適なＮＭＲプローブを前記データベース部に基づいて検索して前記第２表示部に表示し、前記第１表示部に表示される現在接続されているＮＭＲプローブとの比較ができる。【選択図】図３
2009041963.tif 000002
【特許請求の範囲】
【請求項１】
ＮＭＲ分光計およびＮＭＲプローブに通信手段を介して接続されたコンピュータが全体を統括制御しているＮＭＲ装置において、
ＮＭＲ装置の所有者が所有しているＮＭＲプローブ、またはプローブメーカが提供しているＮＭＲプローブを検索可能な情報として記憶させたデータベース部と、
（１）オペレータが希望する測定方法を項目別に入力する入力部、
（２）現在接続されているＮＭＲプローブの種類を表示する第１表示部、
（３）オペレータが希望する測定方法にとって好適なＮＭＲプローブを表示する第２表示部、
を備えたグラフィカル・ユーザー・インターフェイス（ＧＵＩ）と
を備え、
オペレータが前記入力部より希望する測定方法を入力したら、前記コンピュータが、オペレータが希望する測定方法にとって好適なＮＭＲプローブを前記データベース部に基づいて検索して前記第２表示部に表示し、前記第１表示部に表示される現在接続されているＮＭＲプローブとの比較ができるように構成されていることを特徴とするＮＭＲ装置。
【請求項２】
前記ＧＵＩは、さらにＮＭＲ装置の所有者が所有しているＮＭＲプローブ一覧を表示する部分を備えていることを特徴とする請求項１記載のＮＭＲ装置。
【請求項３】
前記ＧＵＩは、さらにプローブメーカが提供しているＮＭＲプローブの情報を表示する部分を備えていることを特徴とする請求項１または２記載のＮＭＲ装置。
【請求項４】
前記ＧＵＩは、前記ＮＭＲプローブ一覧または前記ＮＭＲプローブの情報を追加または削除するコマンドを備え、前記ＮＭＲプローブ一覧または前記ＮＭＲプローブの情報は、書き換え可能なファイルとして保存されていることを特徴とする請求項２または３記載のＮＭＲ装置。
【請求項５】
前記好適なＮＭＲプローブは、オペレータが希望する測定方法にとって最も感度良く測定可能な最適プローブと、最適ではないが測定の可能なプローブの両方であることを特徴とする請求項１記載のＮＭＲ装置。
【請求項６】
前記好適なＮＭＲプローブを、オペレータが希望する測定方法にとって感度の良い順番に表示することを特徴とする請求項５記載のＮＭＲ装置。
【発明の詳細な説明】
【技術分野】
【０００１】
本発明は、ＮＭＲプローブに関する制御プログラムとグラフィカル・ユーザー・インターフェイス（ＧＵＩ）を備えたＮＭＲ装置に関する。
【背景技術】
【０００２】
ＮＭＲ装置は、静磁場中に置かれた被測定試料に高周波信号を照射し、その後、被測定試料から出る微小な高周波信号（ＮＭＲ信号）を検出し、その中に含まれている分子構造情報を抽出することによって分子構造を解析する装置である。
【０００３】
図１はＮＭＲ装置の概略構成図である。高周波発振器１から発振された高周波信号は、位相制御器２及び振幅制御器３によって位相と振幅を制御され、電力増幅器４に送られる。
【０００４】
電力増幅器４で、ＮＭＲ信号を励起するために必要な電力にまで増幅された高周波信号は、デュプレクサ５を介してＮＭＲプローブ６に送られて、ＮＭＲプローブ６内に置かれた図示しない検出コイルから被測定試料に照射される。
【０００５】
高周波照射後、被測定試料から出る微小なＮＭＲ信号は、ＮＭＲプローブ６内に置かれた図示しない検出コイルにより検出され、再びデュプレクサ５を介した後、前置増幅器７に送られ、受信可能な信号強度にまで増幅される。
【０００６】
受信器８は、前置増幅器７で増幅された高周波のＮＭＲ信号を、デジタル信号に変換可能なオーディオ周波数に周波数変換し、同時に振幅の制御を行なう。受信器８でオーディオ周波数に周波数変換されたＮＭＲ信号は、アナログ−デジタルデータ変換器９によってデジタル信号に変換され、制御コンピュータ１０に送られる。
【０００７】
制御コンピュータ１０は、位相制御器２及び振幅制御器３を制御すると共に、時間領域で取り込んだＮＭＲ信号をフーリェ変換処理し、フーリェ変換後のＮＭＲ信号の位相を自動的に補正した後、ＮＭＲスペクトルとして表示する。
【０００８】
ＮＭＲプローブ６には、被測定試料の形態、試料量、ＮＭＲの観測核、ＮＭＲの測定方法、温度や圧力等の試料制御、プローブの自動同調機能、など様々な要望や機能を満たす多品種に渡るプローブが存在する。具体的には、溶液試料用、固体試料用、イメージング用等のプローブがあり、例えば、溶液試料用プローブであっても、試料管の太さが１０ｍｍのもの、５ｍｍのもの、３ｍｍ以下のものなどにより、プローブは異なる。
【０００９】
また、同じ試料管サイズであっても、測定する核種に応じ、異なった周波数の同調回路を有するプローブを使用しなくてはならない。
【００１０】
また、ＮＭＲスペクトルを解析していく上では、他核との相互作用を打ち消すために、第１照射や第２照射を行なえるプローブが必要である。
【００１１】
さらには、試料を測定時に加熱したり冷却したりする温度可変測定を行なう場合には、希望する温度に対応できるプローブでなくてはならない。
【００１２】
他にも、プローブの同調回路の調整を自動で行なえるプローブ、試料に勾配磁場を印加可能なプローブ、液体クロマトグラフ装置と連結できるプローブなど、様々である。
【００１３】
そして、これらの多岐に渡るＮＭＲプローブを誤使用しないために、各プローブに認識回路を設け、もし誤った接続が行なわれた場合には、プローブの破損等を回避するため、そのことをオペレータに知らせる技術が提案されている。
【００１４】
【特許文献１】特開平６−２０１８０９号公報
【発明の開示】
【発明が解決しようとする課題】
【００１５】
ところで、ＮＭＲ装置を所有するユーザは、少なくとも１本のＮＭＲプローブを所有しているが、様々な測定や研究を行なっているユーザの場合、複数本のＮＭＲプローブを所有していることが多い。
【００１６】
技量の高いオペレータは、自分の希望する測定を実現し得るプローブを、所有しているプローブ群の中から見つけ出し、実際に使用することができる。しかしながら、オペレータの技量によっては、所有しているプローブ群の中から自分の実験に最適なプローブを見出せないことがある。
【００１７】
また、プローブを複数本所有しているユーザでは、最初にプローブを購入した際の担当者は、どのようなプローブがどのような測定に向いているかを理解した上でプローブを購入・使用しているので問題ないが、担当者が代わった場合などには、手元にあるプローブの特徴が後任の担当者に伝わらないことがある。
【００１８】
また、各種プローブの名称（呼び名）は、プローブを提供しているメーカーにより様々である。従って、使用するＮＭＲ装置、プローブを買い換えたり買い足したりした場合など、どのプローブが自分の実験に向いているのか、理解するまで時間がかかる。
【００１９】
さらには、目的と異なるプローブを使用していたとしても、それが分からないまま使用し続けていることがある。
【００２０】
このように、複数本のプローブを所有するユーザでは、オペレータの技量不足により、せっかく所有しているプローブを有意義に活用できないことがある。
【００２１】
本発明の目的は、上述した点に鑑み、ユーザが所有するプローブのうち、希望の実験に最適なプローブをユーザに知らせ、また実際に現在使用しているプローブが最適なプローブであるか否かをユーザに知らせることのできるＮＭＲ装置を提供することにある。
【課題を解決するための手段】
【００２２】
この目的を達成するため、本発明にかかるＮＭＲ装置は、
ＮＭＲ分光計およびＮＭＲプローブに通信手段を介して接続されたコンピュータが全体を統括制御しているＮＭＲ装置において、
ＮＭＲ装置の所有者が所有しているＮＭＲプローブ、またはプローブメーカが提供しているＮＭＲプローブを検索可能な情報として記憶させたデータベース部と、
（１）オペレータが希望する測定方法を項目別に入力する入力部、
（２）現在接続されているＮＭＲプローブの種類を表示する第１表示部、
（３）オペレータが希望する測定方法にとって好適なＮＭＲプローブを表示する第２表示部、
を備えたグラフィカル・ユーザー・インターフェイス（ＧＵＩ）と
を備え、
オペレータが前記入力部より希望する測定方法を入力したら、前記コンピュータが、オペレータが希望する測定方法にとって好適なＮＭＲプローブを前記データベース部に基づいて検索して前記第２表示部に表示し、前記第１表示部に表示される現在接続されているＮＭＲプローブとの比較ができるように構成されていることを特徴としている。
【００２３】
また、前記ＧＵＩは、さらにＮＭＲ装置の所有者が所有しているＮＭＲプローブ一覧を表示する部分を備えていることを特徴としている。
【００２４】
また、前記ＧＵＩは、さらにプローブメーカが提供しているＮＭＲプローブの情報を表示する部分を備えていることを特徴としている。
【００２５】
また、前記ＧＵＩは、前記ＮＭＲプローブ一覧または前記ＮＭＲプローブの情報を追加または削除するコマンドを備え、前記ＮＭＲプローブ一覧または前記ＮＭＲプローブの情報は、書き換え可能なファイルとして保存されていることを特徴としている。
【００２６】
また、前記好適なＮＭＲプローブは、オペレータが希望する測定方法にとって最も感度良く測定可能な最適プローブと、最適ではないが測定の可能なプローブの両方であることを特徴としている。
【００２７】
また、前記好適なＮＭＲプローブを、オペレータが希望する測定方法にとって感度の良い順番に表示することを特徴としている。
【発明の効果】
【００２８】
本発明のＮＭＲ装置によれば、
ＮＭＲ分光計およびＮＭＲプローブに通信手段を介して接続されたコンピュータが全体を統括制御しているＮＭＲ装置において、
ＮＭＲ装置の所有者が所有しているＮＭＲプローブ、またはプローブメーカが提供しているＮＭＲプローブを検索可能な情報として記憶させたデータベース部と、
（１）オペレータが希望する測定方法を項目別に入力する入力部、
（２）現在接続されているＮＭＲプローブの種類を表示する第１表示部、
（３）オペレータが希望する測定方法にとって好適なＮＭＲプローブを表示する第２表示部、
を備えたグラフィカル・ユーザー・インターフェイス（ＧＵＩ）と
を備え、
オペレータが前記入力部より希望する測定方法を入力したら、前記コンピュータが、オペレータが希望する測定方法にとって好適なＮＭＲプローブを前記データベース部に基づいて検索して前記第２表示部に表示し、前記第１表示部に表示される現在接続されているＮＭＲプローブとの比較ができるように構成されているので、
ユーザが所有するプローブのうち、希望の実験に最適なプローブをユーザに知らせ、また実際に使用しているプローブが最適なプローブであるか否かをユーザに知らせることのできるＮＭＲ装置を提供することが可能になった。
【発明を実施するための最良の形態】
【００２９】
以下、図面を参照して、本発明の実施の形態を説明する。図２は、本発明にかかるＮＭＲ装置の一実施例である。
【００３０】
図中１１は、オペレータが操作する上位コンピュータで、例えばワークステーションやパソコンなど表示機能を有するコンピュータである。また、１２はＮＭＲ分光計、１３はＮＭＲプローブである。
【００３１】
上位コンピュータ１１は、ＮＭＲ分光計１２とは通信手段１４を介して接続されている。その場合、直接電気的に接続されていたり、ＬＡＮなどのネットワークを経由して接続されている場合がある。両者は、通信手段１４を介して各種命令の授受や情報の授受等を行なっている。
【００３２】
ＮＭＲ分光計１２とＮＭＲプローブ１３はケーブル等の通信手段１５によって電気的に接続され、ＮＭＲプローブ１３のＩＤや情報等を授受している。ＮＭＲプローブ１３の情報は、最終的に上位コンピュータ１１に送受される。
【００３３】
図中１６は、上位コンピュータ１１内にある各種ファイルであって、その中の１つに、Own Probes File（所有プローブ一覧ファイル）１６ａを用意している。ただし、既存のファイル情報により、ユーザが所有するＮＭＲプローブが判別できれば、Own Probes File１６ａは不要である。
【００３４】
Own Probes File１６ａは、ユーザが後日ＮＭＲプローブを追加入手したり廃棄したりした際に、書き換え可能なファイルとして、上位コンピュータ１１内のメモリやハードディスク等の記憶媒体に保存しておく。
【００３５】
一般的に、上位コンピュータ１１には、ＮＭＲ分光計制御ソフトウェア、ＮＭＲデータ処理ソフトウェアが存在するが、新たにオペレータの測定条件に最適なＮＭＲプローブを知らせるソフトウェアを追加する。ソフトウェアの一例として、図３に示すようなＧＵＩを備えたソフトウェアを用意する。
【００３６】
オペレータは、図２のOwn Probes File１６ａを参照することで、図３のＧＵＩの符号ニに示したようなユーザ所有のプローブ一覧を見ることができる。１６ａのファイルには、所有するＮＭＲプローブに関する情報以外に、プローブメーカが提供しているＮＭＲプローブの情報を保存しても構わない。
【００３７】
ＮＭＲプローブの一覧だけではなく、ＮＭＲプローブの特徴なども併記することで、各種プローブの特徴をオペレータはより深く理解することが可能になる。また、新たに追加入手したＮＭＲプローブや廃棄したＮＭＲプローブが発生した場合、一覧に追加したり、一覧から削除したりするためのコマンドを用意することで、ＮＭＲプローブの種類の増減に柔軟に対応することができる。
【００３８】
オペレータは、まず希望する実験の内容を、図３のＧＵＩ上、符号イの部分で選択する。例えば、図３のイでは、試料形態、使用する試料管の種類、観測核の種類、照射核の種類、温度可変測定の有無、その他の付加機能などをＧＵＩ上のプルダウンメニューより選ぶ。選択の順序は、どの項目が先でも構わない。プルダウンメニューに限らず、直接オペレータがタイプ入力しても構わない。
【００３９】
試料形態のプルダウンメニューには、例えば溶液、固体、イメージング等のジャンルがあり、その中からオペレータは測定する試料の形態を選択する。ただし、試料形態以外のプルダウンメニューを先に選択すれば、試料形態の入力は不要となる場合もある。
【００４０】
試料管のプルダウンメニューには、もし事前にオペレータが試料形態を溶液と選択していた場合には、溶液用プローブで実在する試料管の太さ、例えば２０ｍｍ、１０ｍｍ、５ｍｍ、３ｍｍ等の試料管径が表示される。また、試料形態を予め固体と選択していた場合には、例えば７ｍｍ、６ｍｍ、４ｍｍ、１．７ｍｍ等の試料管径が表示される。
【００４１】
事前に試料形態が選択されていなければ、すべての試料管径が表示される。もし仮に溶液用プローブにしか使用できない試料管径をプルダウンメニューで選択した場合、試料形態の項目は自動的に溶液となる。
【００４２】
観測核や照射核の種類についても、プルダウンメニュー等から希望の核を選択する。以下同様に、温度可変測定を希望する場合には、その温度を入力する。さらに、付加機能として勾配磁場を印加するか否か、自動同調機能を使用するか否か等を選択する。
【００４３】
図３の符号イの部分はほんの一例であり、オペレータの希望する実験内容を選択できる項目であれば、符号イに表示した以外の項目があっても良い。
【００４４】
図３の符号ロの部分は、実際に使用している（ＮＭＲ装置に接続されている）ＮＭＲプローブの情報を表わす領域である。実際に使用しているプローブの情報は、図２で示すように、ＮＭＲ分光計を経由して上位コンピュータに情報が授受される。得られた情報をもとに、現在使用しているプローブの情報を図３の符号ロの部分に表示し、オペレータに伝える。符号ロの部分には、ＮＭＲプローブの名称や型式や特徴などの他、オペレータに有益となる情報を表示する。
【００４５】
図３の符号ハの部分は、ユーザが所有するＮＭＲプローブの中で、オペレータの希望する実験に最適なプローブを表示し、オペレータに伝える部分である。
【００４６】
図３の符号イの部分でオペレータが希望する実験、例えば、試料形態が溶液、試料管径が５ｍｍ、観測核が13Ｃ、照射核が1Ｈ、温度可変測定の設定温度が３５℃、磁場勾配（ＦＧ）使用、などという判断材料から、図２のファイル１６ａの中から、実験に最適なプローブを図３の符号ハに部分に表示する。
【００４７】
もし、図２のファイル１６ａに最適のプローブが存在しなければ、図３の符号ハには、その旨が分かるようなメッセージを表示し、オペレータに伝える。また、もし図２のファイル１６ａの中にプローブメーカ提供のすべてのプローブリストがあれば、希望する実験で使用できる最適のプローブを表示しても良い。それは、ＮＭＲプローブを新規に購入する際の目安にもなる。
【００４８】
図３のＧＵＩにおいて、符号ロの部分と符号ハの部分を同時に表示することにより、実際にＮＭＲ装置に接続されているＮＭＲプローブと実験に最適なＮＭＲプローブとが視覚的に比較でき、間違ってプローブを接続していた場合などにオペレータにそのことを気づかせることが可能になる。
【００４９】
図３の符号ニの部分は、図２のファイル１６ａの内容を表示している。基本的には、ユーザ所有のＮＭＲプローブの情報を表示する。符号ニの部分に表示する情報は、ＮＭＲプローブの名称や型式のほか、性能や特徴等、ＮＭＲプローブに関わる情報である。この部分の右側には、図２のファイル１６ａの中に新たにＮＭＲプローブを追加したり、ファイル１６ａからＮＭＲプローブを削除したりすることのできるコマンドを用意してある。このコマンドは、必要に応じ、用意しても良く、用意しなくても構わない。
【００５０】
図３のＧＵＩは、ほんの一例として示したものに過ぎず、当然ながら、符号イ〜ニで示される部分の位置や形状やデータ入力方法等には、様々な変形があり得る。また、ファイル１６ａのOwn Probes Fileもほんの一例に過ぎず、ファイル名はもちろん任意である。
【００５１】
図４は、本発明の利用方法を示すフロー図の一例である。オペレータがプローブを交換した際の動作フローを示している。以下、符号に沿って説明を行なう。
【００５２】
符号Ｔ１：最初に、オペレータがプローブを交換したことで、このタスクが起動する。プローブの交換が行なわれたか否かを判断するには、例えば、通常ＮＭＲ装置に接続されているプローブは、そのプローブのＩＤ等を上位コンピュータ等で読み取るために、電気信号の授受を行なっている。よって、その電気信号（ステータス）を常時上位コンピュータ等でReadしていれば、電気信号の変化によりプローブの交換の有無が判断できる。
【００５３】
符号Ｔ２：上位コンピュータは、接続されたプローブのＩＤやその他プローブの情報を得るべく、プローブ側に設けられたメモリ等の情報源にアクセスし、情報を入手する。
【００５４】
符号Ｔ３：上位コンピュータは、接続されたプローブのＩＤ等情報を得て、オペレータに現在接続されているプローブが何であるかを明示するため、図３の符号ロの部分にプローブ名称を表示させる。また、そのプローブの特徴等も併せて表示させる。表示させる名称や特徴などは、事前に上位コンピュータ上に用意されたファイル（図２の１６ａ）にストアされている内容でも構わないし、プローブ上に実装されたメモリ等から得た内容を表示しても構わない。
【００５５】
符号Ｔ４：もし、図３の符号イの部分にオペレータが希望する実験の内容を何か入力していれば、上位コンピュータは、その項目に合った最適のプローブをプローブファイルの中から検索し、図３の符号ハの部分にその結果として、最適なプローブの名称や特徴などを表示する。もし、図３の符号イの部分にオペレータが希望する実験の内容を何か入力していなければ、そのまま符合Ｔ７の工程に進み、終了となる。
【００５６】
符号Ｔ５：符号Ｔ４の工程で検索した最適なプローブの結果が、符合Ｔ１の工程で検出されたプローブと一致していれば、そのまま符合Ｔ７の工程に進み、終了となる。結果が一致していなければ、符号Ｔ６の工程に進む。
【００５７】
符号Ｔ６：符号Ｔ４の工程で検索した最適なプローブの結果が、符合Ｔ１の工程で検出されたプローブと一致していないことを、オペレータに通知する。通知方法としては、別のウィンドウをポップアップして不一致を知らせる方法や、図３の符号ロの部分や符号ハの部分の表示色を変えたり、点滅などさせたりして知らせる方法がある。
【００５８】
符号Ｔ７：終了。
【００５９】
図５は、本発明の利用方法を示すフロー図の別の例である。オペレータが希望する測定条件を設定し、その実験に最適なプローブを検索する際の動作フローを示している。以下、符号に沿って説明を行なう。
【００６０】
符号Ｔ８：オペレータが図３の符号イの部分に希望する測定条件を設定することで、以下のタスクが実行される。図３のイの部分では、一例として、８項目の主たる測定条件を挙げ、それぞれの項目をプルダウンメニュー化しているが、直接キーインしても構わず、要は希望する測定条件が容易に設定できる方法が望ましい。また、これらすべての測定条件を設定せずとも、１項目以上の条件を設定しさえすれば構わない。また、上位コンピュータに予め記憶させた多くの模範的なＮＭＲ測定条件群の中から選ぶように構成しても構わない。
【００６１】
符号Ｔ９：オペレータが希望する測定に最適なプローブを、所有しているプローブ群の中から検索する。所有しているプローブ群の情報は、それらのＩＤや特徴等の情報をストアしてある図２のファイル１６ａから得る。検索方法は、プローブファイルのデータ構造によっていろいろ考えられるが、どのような検索方法であっても構わない。しかしながら、オペレータの条件設定があまり明確でない場合や、条件設定が明確であっても検索結果が１つに絞り切れない場合には、条件に適った複数のプローブを選び出しても構わないし、複数のプローブの中から一番感度良く測定結果が得られるプローブを選び出しても構わない。あるいは複数のプローブを、感度の良い順番に配列して表示しても良い。
【００６２】
符号Ｔ１０：プローブファイルの中から選び出した測定に最適なプローブは、図３の符号ハの部分に表示される。ハ部の表示は、プローブの名称のほか、特徴なども併せて表示する方が望ましい。
【００６３】
符号Ｔ１１：終了。
【００６４】
図６は、本発明の利用方法を示すフロー図の別の例である。ユーザが所有するプローブを表示する際の動作フローを示している。以下、符号に沿って説明を行なう。
【００６５】
符号Ｔ１２：ユーザが所有するプローブのＩＤや特徴などの情報を、図２に示す上位コンピュータ１１内のファイル１６ａに用意しておく。このファイルへのデータの追加／削除は、一般的なエディタによって行なっても構わないし、図３の符号ニの部分に用意された「追加」「削除」などのＧＵＩを用いて行なっても構わない。あるいは、一度接続したプローブのメモリから、そのプローブに関するＩＤや情報を自動的にプローブファイルに追加しても構わない。何よりもオペレータが容易にプローブファイルを編集できることが望ましい。
【００６６】
符号Ｔ１３：図２に示す上位コンピュータ１１内のファイル１６ａにストアされているプローブ情報を、図３の符号ハの部分に表示させる。表示される内容は、プローブの名称に加え、プローブの特徴などもあると望ましい。その他、プローブファイルのデータ構造にもよるが、例えば、プローブを購入した日時、メンテナンスした日時、最終使用日時、最終使用者、延べ使用回数等、オペレータに有益な情報を明示できることが望ましい。また、図３の符号ハの部分に表示されたプローブ名称の中から、例えば溶液４ｍｍＬＣインバースプローブを選択すると、過去、このプローブで測定されたデータ（スペクトルや測定条件等）にアクセスできるなどの付加機能があると便利である。
【００６７】
符号Ｔ１４：終了。
【００６８】
これらのフロー図に従って本発明を利用することにより、ユーザが所有するプローブのうち、希望の実験に最適なプローブをユーザに知らせ、また実際に使用しているプローブが最適なプローブであるか否かをユーザに知らせることのできるＮＭＲ装置を提供することが可能になった。
【産業上の利用可能性】
【００６９】
ＮＭＲ測定に広く利用できる。
【図面の簡単な説明】
【００７０】
【図１】従来のＮＭＲ装置の一例を示す図である。
【図２】本発明にかかるＮＭＲ装置の一実施例を示す図である。
【図３】本発明にかかるＮＭＲ装置のＧＵＩの一実施例をまとめた表である。
【図４】本発明の利用方法を示すフロー図の一例である。
【図５】本発明の利用方法を示すフロー図の別の例である。
【図６】本発明の利用方法を示すフロー図の別の例である。
【符号の説明】
【００７１】
１：高周波発振器、２：位相制御器、３：振幅制御器、４：電力増幅器、５：デュプレクサ、６：ＮＭＲプローブ、７：前置増幅器、８：受信器、９：アナログ−デジタルデータ変換器、１０：制御コンピュータ、１１：上位コンピュータ、１２：ＮＭＲ分光計、１３：ＮＭＲプローブ、１４：通信手段、１５：通信手段、１６：各種ファイル、１６ａ：Own Probes File
【図１】
2009041963.tif 000003
【図２】
2009041963.tif 000004
【図３】
2009041963.tif 000005
【図４】
2009041963.tif 000006
【図５】
2009041963.tif 000007
【図６】
2009041963.tif 000008